(57)【要約】【課題】本発明は、全給水配管の元栓に直結して水道水から残留塩素を除去することができる残留塩素除去器を提供する。また、本発明は、残留塩素除去方法を提供する。【解決手段】残留塩素除去器は、中和剤１１６を収納するための中和剤収納部１１０と、中和剤収納部１１０に流通するように構成された細孔部１４８と、細孔部１４８に流通し、水道水を流入させるための流入細孔１５８と、細孔部１４８に流通し、流入細孔１５８から流入した水道水を流出させるための流出細孔１５９とを備える。流入細孔１５８の直径は流出細孔１５９の直径よりも小さく構成されるのが好ましい。中和剤１１６はビタミンＣを含むのが好ましい。【選択図】図１
2007301446.tif 000002
【特許請求の範囲】
【請求項１】
水道水から残留塩素を除去するための残留塩素除去器であって、
中和剤（１１６）を収納するための中和剤収納部（１１０、１２１）と、
前記中和剤収納部（１１０）に流通するように構成された細孔部（１４８）と、
前記細孔部（１４８）に流通しており、かつ、水道水を流入させるための流入細孔（１５８）と、
前記細孔部（１４８）に流通しており、かつ、前記流入細孔（１５８）から流入した水道水を流出させるための流出細孔（１５９）とを備えており、
前記細孔部（１４８）は、前記流入細孔（１５８）から流入した水道水を毛細管現象によって前記中和剤収納部（１１０、１２１）に流通させることができるような寸法形状に形成されている、
ことを特徴とする残留塩素除去器。
【請求項２】
前記流入細孔（１５８）の直径は、前記流出細孔（１５９）の直径よりも小さいことを特徴とする、請求項１に記載の残留塩素除去器。
【請求項３】
前記中和剤（１１６）は、ビタミンＣを含むことを特徴とする、請求項１に記載の残留塩素除去器。
【請求項４】
前記流入細孔（１５８）の中心軸線と、前記流出細孔（１５９）の中心軸線は、一つの直線上に配置されることを特徴とする、請求項１に記載の残留塩素除去器。
【請求項５】
水道水から残留塩素を除去するための残留塩素除去器であって、
塩素中和剤（１１６）を収納するための中和剤容器（１１０）と、
中和剤液化管内部（１２１）を有する中和剤液化管（１２０）と、
貫通ボア（１３７）を有する取り付け継手（１３１）とを備え、
一端が前記中和剤容器（１１０）と流通した中和剤液化管（１２０）と、
ノズル細孔（１４８）を有する点滴ノズル（１４０）と、
前記点滴ノズル（１４０）に対して固定された吹き出しノズル（１５０）とを備え、
前記貫通ボア（１３７）は前記中和剤液化管内部（１２１）と流通し、かつ、前記ノズル細孔（１４８）と流通するように構成されており、
前記吹き出しノズル（１５０）には、内部に水道水を流入させるための流入細孔（１５８）と、前記流入細孔（１５８）から前記吹き出しノズル（１５０）の内部に流入した流体を流出させるための流出細孔（１５９）とが形成されており、
前記ノズル細孔（１４８）は、前記吹き出しノズル（１５０）の内部と流通するように構成されており、
前記ノズル細孔（１４８）は、前記流入細孔（１５８）から流入した水道水を毛細管現象によって前記中和剤液化管内部（１２１）に流通させることができるような寸法形状に形成されている、
ことを特徴とする残留塩素除去器。
【請求項６】
前記流入細孔（１５８）の直径は、前記流出細孔（１５９）の直径よりも小さいことを特徴とする、請求項５に記載の残留塩素除去器。
【請求項７】
前記中和剤（１１６）は、ビタミンＣを含むことを特徴とする、請求項６に記載の残留塩素除去器。
【請求項８】
前記流入細孔（１５８）の中心軸線と、前記流出細孔（１５９）の中心軸線は、一つの直線上に配置されることを特徴とする、請求項５に記載の残留塩素除去器。
【請求項９】
水道水から残留塩素を除去するための残留塩素除去方法であって、
中和剤（１１６）を収納するための中和剤収納部（１１０）と、前記中和剤収納部（１１０、１２１）に流通するように構成された細孔部（１４８）と、前記細孔部（１４８）に流通しており、かつ、水道水を流入させるための流入細孔（１５８）と、前記細孔部（１４８）に流通しており、かつ、前記流入細孔（１５８）から流入した水道水を流出させるための流出細孔（１５９）とを備えた残留塩素除去器を準備する段階と、
前記残留塩素除去器を水道配管に取り付ける段階とを含み、
前記細孔部（１４８）は、前記流入細孔（１５８）から流入した水道水を毛細管現象によって前記中和剤収納部（１１０、１２１）に流通させることができるような寸法形状に形成されている、
ことを特徴とする方法。
【請求項１０】
前記流入細孔（１５８）の直径が前記流出細孔（１５９）の直径よりも小さくなるように構成されたことを特徴とする、請求項９に記載の方法。
【請求項１１】
前記中和剤（１１６）はビタミンＣを含み、前記細孔部（１４８）を通って流入する水道水によって前記ビタミンＣが連続して希釈化されるようになっていることを特徴とする、請求項９に記載の方法。
【請求項１２】
水道水から残留塩素を除去するための残留塩素除去方法であって、
ビタミンＣを含む中和剤（１１６）を収納した中和剤収納部（１１０）を含む残留塩素除去器を準備する段階と、
前記中和剤収納部（１１０）を細孔部（１４８）を介して水道配管に接続する段階と、
前記残留塩素除去器の中に毛細管現象により水道水を流入させてビタミンＣを連続して希釈化させる段階と、
前記希釈化させたビタミンＣを水道配管に流出させる段階と、
を含むことを特徴とする方法。
【請求項１３】
前記希釈化させる段階は、前記残留塩素除去器に設けた流入細孔（１５８）から水道水を流入させて行われ、前記希釈化させたビタミンＣを水道配管に流出させる段階は、前記残留塩素除去器に設けた流出細孔（１５９）から水道水を流出させて行われるようになっており、前記流入細孔（１５８）の直径が前記流出細孔（１５９）の直径よりも小さいことを特徴とする、請求項１２に記載の方法。
【請求項１４】
前記流入細孔（１５８）の中心軸線と、前記流出細孔（１５９）の中心軸線は、一つの直線上に配置され、かつ、前記水道配管の中心軸線と一致するように配置されることを特徴とする、請求項１３に記載の方法。
【発明の詳細な説明】
【技術分野】
【０００１】
本発明は、水道元栓直結型の残留塩素除去器に関する。特に、本発明は、住宅配管の給水・給湯の全給水配管の元栓に直結させて、ビタミンＣを用いて水道水から脱塩素・除塩素を行うことができる残留塩素除去器に関する。さらに、本発明は、住宅配管の給水・給湯の全給水配管において、水道水から残留塩素を除去する残留塩素除去方法に関する。
【背景技術】
【０００２】
（１）従来技術の説明：
水道水には雑菌を滅菌・消毒するための塩素の混合が義務付けられており、我が国の水道法（水道法施工規則）では、給水栓（蛇口）から出る水道水に０．１ｐｐｍ以上の残留塩素濃度を保持していることが義務付けられている。全国の各水道局管内の塩素投入量が、年間を通じて異なっている。また、塩素投入量は、大都市、中都市、小都市、町村において、水源の発生源においても異なっている。さらに、各水道局の常用水圧は異なっている。また、水源の水量が減ったり、豪雨などで水源が汚れたりすると、衛生の観点から、より多くの塩素が加えられることがある。それによって、塩素によるカルキ臭や副生物が発生する度合いが大きくなる。特に、都市部や、浄水場に近い地区では、残留塩素濃度が高くなる傾向がある。
【０００３】
水道水から脱塩素・除塩素を行う方法として、従来から各種の浄水器が用いられている。浄水器として、例えば、ビルトイン型浄水器、給水栓直結型浄水器、据置き型浄水器、ポット型浄水器等が知られている（例えば、非特許文献１参照）。家庭用浄水器では、活性炭（粒状、粉状、繊維状、ブロック状等の形態がある）を給水栓に取り付ける方法と、水道水の流量に応じてビタミンＣなどの塩素中和剤を希釈し抽出して水道水を中和する給水栓取り付け型塩素除去器が知られている。塩素を除去する化学反応型の反応中和剤として、クエン酸、塩化ナトリウム、クエン酸ナトリウム、リン酸化カリウム、リン酸カリウムなどが知られているが、中和化学反応における塩素との反応比率の経済性等の点から実用化されていない。
【０００４】
従来の第１タイプの薬剤添加装置として、水道の本流管の途中に支流管および流出管を接続し、これらを包含して薬剤添加槽を装着した薬剤添加装置が知られている（例えば、特許文献１参照）。
【０００５】
また、従来の第２タイプの薬剤添加装置として、薬剤容器と通水路を有し、通水路中に水流抵抗素子を設け、水流抵抗素子の上流側と下流側に薬剤容器と通水路を連通する孔をそれぞれ設けた薬剤添加装置が知られている（例えば、特許文献２参照）。
【０００６】
また、従来の第３タイプの薬剤供給装置として、薬剤を収納する薬剤タンクからの薬剤を溜める薬剤滞留部と、通水路を流れる流水の一部を薬剤滞留部に流入させることによって薬剤滞留部の薬剤を吐出させる薬剤吐出手段とを設けた薬剤供給装置が知られている（例えば、特許文献３参照）。
【０００７】
さらに、従来の第４タイプの薬剤供給方法として、ビタミンＣを収容する収容カートリッジを備え、このカートリッジから水道水にビタミンＣを抽出するようにした浄水器又はシャワーヘッドが知られている（例えば、特許文献４参照）。なお、ビタミンＣの主成分であるＬ−アスコロビン酸は、化学合成と、微生物利用の組み合わせで工業的に生産することができる。合成されたビタミンＣは天然のビタミンＣと同じものである（例えば、非特許文献２参照）。
【０００８】
（２）特許文献等のリスト：
【特許文献１】特開２００３−３０５３５７号公報
【特許文献２】特開２００４−９７９７２号公報
【特許文献３】特開２００１−３２７８５２号公報
【特許文献４】特開２００５−１７７７２６号公報
【特許文献５】特許第２８６４１８３号公報
【非特許文献１】「特集  水を楽しむ  飲用としての水」、岡田誠之、「空気調和・衛生工学」、第８０巻第３号第２３〜２８頁、平成１８年３月発行
【非特許文献２】「新  ビタミンＣと健康」、村田晃著、第１３３〜１３５頁、１９９９年１月２０日初版発行、共立出版
【発明の開示】
【発明が解決しようとする課題】
【０００９】
しかし、従来の残留塩素を除去する装置、方法においては、下記の課題があった。
（１）給水栓取り付け型塩素除去器の浄水器は、台所、洗面所、浴槽などの給水栓（蛇口、混合水栓、スパウトなどを含む）に取り付けられる。最小規模の住宅において、給水栓が５箇所程度設けられ、かつ、給湯栓が３箇所程度設けられる。新型の給水栓やシングルレバー型の給水栓など多種多様な給水栓が出回るので、給水栓取り付け型塩素除去器を多種多様な給水栓に取り付けることができるようにするのは困難であった。このため、全給湯栓の湯の臭いやトリハロメタンを取り除くことが困難であった。しかも、湯はどんどん揮発する特性をもっている。
【００１０】
一人の人が一日に飲む水は１リットルから２リットル程度であるのに対して、風呂には２００リットル以上の湯が必要であり、５分間シャワーを使用するためには４０リットル程度の温水が必要である。浴室内で毒性が強くなる方法で大量の毒を吸い込むため、浴室内において人が受ける毒性は、水を飲む場合より１００倍から１０００倍も高くなる。すなわち、浴室内に放出された塩素やトリハロメタンには、水道水を飲むより遥かに強い危険性がある。したがって、飲み水より優先して、風呂やシャワーに用いられる給水・給湯について対策を取る必要がある。したがって、住宅配管の給水・給湯の全給水配管の元栓に直結した残留塩素除去器であって、水道水から脱塩素・除塩素を行うことができる小型で高性能な残留塩素除去器を開発することが必要である。
【００１１】
（２）住宅配管の給水・給湯の全給水の全水量の残留塩素を連続して除去することができる塩素中和剤（ビタミンＣ顆粒）を連続して希釈化して残留塩素を中和して除去することができる高性能な残留塩素除去器を開発することが必要である。
（３）従来の第１タイプの薬剤添加装置は、薬剤添加槽を水道管に取り付けるのが困難であると思われる。また、この薬剤添加装置にビタミンＣを適用しようとした場合、残留塩素と除去反応するビタミンＣ液の反応量の自動調整を行うのが困難であると思われる。
（４）従来の第２タイプの薬剤添加装置、第３タイプの薬剤供給装置、第４タイプの薬剤供給方法は、いずれも薬剤添加槽を水道管に取り付けるのが困難であると思われる。さらに、従来の第４タイプの薬剤供給方法では、ビタミンＣの補充期間が短いものと思われる。
【００１２】
本発明の目的は、住宅配管の給水・給湯の全給水配管の元栓に直結することができて、水道水から脱塩素・除塩素を行うことができる小型で高性能な残留塩素除去器を提供することにある。
また、本発明の他の目的は、塩素中和剤を用いて水道水の中の残留塩素を中和し除去することができる残留塩素除去器を提供することにある。特に、本発明の他の目的は、塩素中和剤としてビタミンＣ顆粒を連続して希釈化して残留塩素を中和し除去することができる残留塩素除去器を提供することにある。
更に、本発明の他の目的は、住宅配管の給水・給湯の全給水配管において、水道水から残留塩素を除去する残留塩素除去方法を提供することにある。
【課題を解決するための手段】
【００１３】
本発明においては、水道水の残留塩素を除去する塩素除去反応中和剤として、特に、「ビタミンＣ」（Ｌ−アスコロビン酸）を使用している。ビタミンＣは、人間の体内で合成することができないものであり、五大栄養素のサプリメント４０の中のビタミン類１０種に含まれるものである。１９８８年２月１日から厚生労働省では、１日のビタミンＣの摂取勧告値を５０ｍｇから２０００ｍｇに、すなわち４０倍に増加させた。さらに、２０００年７月に、１日のビタミンＣの摂取勧告値が改定されて、１日につき１００ｍｇの所要量になった。このようにして、厚生労働省では、ビタミンＣを大量に摂取することによって毎日の食事の欠陥を補い、毎日の食生活をより完全なものにしようと提唱している。
【００１４】
一方、浄化していない通常の水道水で米を炊くと、ビタミンＢ１が半減することが京都大学の実験により判明している。また、乾燥椎茸、切り干し大根、ひじき等を水に入れて通常状態に戻すときや、玉ねぎや、きゃべつを水に晒すときにも、水道水を浄化する必要がある。また、めだか、金魚、熱帯魚などを、いきなり水道水の中に入れると死ぬことがわかっている。一方、１日位汲み置きした水や、塩素中和剤を入れた水を用いると、めだか、金魚、熱帯魚は元気に泳ぎ回ることがわかっている。
【００１５】
以下に、塩素をシャットダウンする「ビタミンＣ」（Ｌ−アスコロビン酸）の化学構造式を示す。
【化１】
2007301446.tif 000003
【００１６】
本発明の残留塩素除去器においては、反応中和剤としてビタミンＣを用いて、水道水の中の残留塩素を化学的に分解することができる。このときに生じる化学反応の化学反応式を下記に示す。
Ｃ6Ｈ8Ｏ6 ＋ＮａＣｌＯ  →  Ｃ6Ｈ6Ｏ6 ＋ＮａＣｌ＋Ｈ2Ｏ
すなわち、上記化学反応式は、以下の化学反応が生じることを示している。
(ビタミンＣ)＋(次亜塩素酸ナトリウム)→(酸化ビタミンＣ)＋(塩化ナトリウム)＋(水)
前述したように、Ｌ−アスコロビン酸は工業的に生産することができ、合成されたビタミンＣは天然のビタミンＣと同じものである。
【００１７】
本発明の残留塩素除去器を水道配管元栓に直結する取り付けは、一般配管用ステンレス鋼管２０Ｓｕまたは１３Ｓｕの量水器（メータ計）に接続された屋内配管において、ヘッダーの付近の箇所で行われるのが好ましい。残留塩素除去器の脱着が容易な箇所において、残留塩素除去器は、継手チーズ３／４×１／２（２０×１５）、又は、継手チーズ１／２×（１５×１５）のようなステンレスチューブ用継手を用いて装着される。建築設備の給湯又は給水配管は、ステンレスヘッダー配管工法を採用している。すなわち、この工法では、各配管部材は、ステンレスチューブ用継手を用いて接合することができる。
【００１８】
本発明は、水道水から残留塩素を除去するための残留塩素除去器であって、中和剤を収納するための中和剤収納部と、前記中和剤収納部に流通するように構成された細孔部と、前記細孔部に流通しており、かつ、水道水を流入させるための流入細孔と、前記細孔部に流通しており、かつ、前記流入細孔から流入した水道水を流出させるための流出細孔とを備え、前記細孔部は、前記流入細孔から流入した水道水を毛細管現象によって前記中和剤収納部に流通させることができるような寸法形状に形成されていることを特徴としている。前記流入細孔の直径は、前記流出細孔の直径よりも小さいのが好ましい。この構成により、塩素中和剤を連続して希釈化して、水道水中の残留塩素を効果的かつ確実に中和して除去することができる。
【００１９】
本発明の残留塩素除去器において、前記中和剤は、ビタミンＣを含むのが好ましい。また、本発明の残留塩素除去器において、前記流入細孔の中心軸線と、前記流出細孔の中心軸線は、一つの直線上に配置されるのが好ましい。
【００２０】
本発明の残留塩素除去器の１つの観点では、塩素中和剤を収納するための中和剤容器と、中空管内部を有する中和剤液化管と、貫通ボアを有する取り付け継手とを備え、さらに、一端が前記中和剤容器と流通した中和剤液化管と、ノズル細孔を有する点滴ノズルと、前記点滴ノズルに対して固定された吹き出しノズルとを備え、前記貫通ボアは前記中空管内部と流通し、かつ、前記ノズル細孔と流通するように構成されている。この残留塩素除去器において、前記吹き出しノズルには、内部に水道水を流入させるための流入細孔と、前記流入細孔から前記吹き出しノズルの内部に流入した流体を流出させるための流出細孔とが形成されている。この残留塩素除去器では、前記ノズル細孔は、前記流入細孔から流入した水道水を毛細管現象によって前記中和剤液化管内部に流通させることができるような寸法形状に形成されている。そして、この残留塩素除去器においては、前記ノズル細孔は、前記吹き出しノズルの内部と流通するように構成される。さらに、前記流入細孔の直径は、前記流出細孔の直径よりも小さいのが好ましい。
【００２１】
さらに、本発明は、水道水から残留塩素を除去するための残留塩素除去方法であって、中和剤を収納するための中和剤収納部と、前記中和剤収納部に流通するように構成された細孔部と、前記細孔部に流通しており、かつ、水道水を流入させるための流入細孔と、前記細孔部に流通しており、かつ、前記流入細孔から流入した水道水を流出させるための流出細孔とを備えた残留塩素除去器を準備する段階と、前記残留塩素除去器を水道配管に取り付ける段階とを含む。前記細孔部は、前記流入細孔から流入した水道水を毛細管現象によって前記中和剤収納部に流通させることができるような寸法形状に形成される。前記流入細孔の直径が前記流出細孔の直径よりも小さくなるように構成されるのが好ましい。
【００２２】
上記した本発明の方法では、前記中和剤は、ビタミンＣを含むのが好ましい。上記した本発明の方法では、前記細孔部を通って流入する水道水によってビタミンＣが連続して希釈化されるようになっていることが好ましい。この方法により、ビタミンＣを連続して希釈化して、水道水中の残留塩素を効果的かつ確実に中和して除去することができる。
【００２３】
さらに、本発明は、水道水から残留塩素を除去するための残留塩素除去方法であって、ビタミンＣを含む中和剤を収納した中和剤収納部を有する残留塩素除去器を準備する段階と、前記中和剤収納部を細孔部を介して水道配管に接続する段階と、前記残留塩素除去器の中に毛細管現象により水道水を流入させて前記ビタミンＣを連続して希釈化させる段階と、前記希釈化させたビタミンＣを水道配管に流出させる段階とを含むことを特徴とする。この方法を用いると、水道水の流動が停止している間に、水道水は毛細管現象により、直径が０．３ｍｍ程度の微細な孔から中和剤液化管に向って上昇し、中和剤液化管の中で顆粒のビタミンＣを連続して希釈化させることができる。
【００２４】
上記した本発明の方法では、前記希釈化させる段階は、前記残留塩素除去器に設けた流入細孔から水道水を流入させて行われ、前記希釈化させたビタミンＣを水道配管に流出させる段階は、前記残留塩素除去器に設けた流出細孔から水道水を流出させて行われるようになっており、前記流入細孔の直径が前記流出細孔の直径よりも小さいのがよい。また、上記した本発明の方法では、前記流入細孔の中心軸線と、前記流出細孔の中心軸線は、一つの直線上に配置され、かつ、前記水道配管の中心軸線と一致するように配置されるのがよい。
【発明の効果】
【００２５】
本発明により、塩素中和剤を連続して希釈化して残留塩素を中和して除去することができる小型で高性能な残留塩素除去器を製造することができる。本発明の残留塩素除去器を水道元栓に直結することにより、水道水の中の残留塩素をほぼ完全に除去することができる。更に、本発明の方法を用いることにより、住宅配管の給水・給湯の全給水配管において、水道水から残留塩素を効果的に除去することができる。例えば、本発明の残留塩素除去器を水道元栓に直結することにより、住宅の全給水・給湯管の水道蛇口の段階で、出水の１リットル当たり０．１ｍｇから０．９ｍｇの残留塩素が存在するとき、水道水の中の残留塩素をほぼ完全に除去することができる。
【発明を実施するための最良の形態】
【００２６】
以下に、本発明の実施の形態を図面に基づいて説明する。
（１）残留塩素除去器の構造：
図１を参照すると、本発明の残留塩素除去器１００は、中和剤容器１１０と、中和剤液化管１２０と、除去器ユニット１３０とを含む。中和剤容器１１０と除去器本体１３０は、中和剤液化管１２０によって接続される。中和剤容器１１０と、中和剤液化管１２０と、除去器ユニット１３０は、共通の中心軸線１００Ａを有するように構成される。中和剤容器１１０は、好ましくは、ステンレス鋼管２５Ｓｕで形成される。ステンレス鋼管２５Ｓｕの長さは、２５ｃｍであるのが好ましい。中和剤容器１１０は、上端部を中和剤の投入口とし、この上端部にポリキャップ蓋１１２を装着して密閉するのがよい。また、前記ステンレス鋼管２５Ｓｕの下端部に、固定ナット１１４を設けるのがよい。例えば、中和剤容器１１０を構成するステンレス鋼管２５Ｓｕの下端部に固定ナット１１４の先端を溶接して固定するのが好ましい。固定ナット１１４として、例えば、ＳＰＪフレアナット（１０ｍｍ）を用いることができる。固定ナット１１４は、ＳＵＳ３０４などのステンレス鋼で形成するのが好ましい。中和剤容器１１０と中和剤液化管１２０を連結するには、貫通穴を有し、かつ両端に雄ねじ部を含む接合継手１１５を用いるのがよい。接合継手１１５として、ＳＰＪ１ユニオン継手１０Ｓｕを用いることができる。中和剤容器１１０の下端部は、接合継手１１５の上側雄ねじ部に対して、固定ナット１１４により、ねじ締めにより連結される。中和剤容器１１０の下端部と接合継手１１５の連結部にはＯリングパッキン１１７を配置するのが好ましい。中和剤容器１１０の内部は、接合継手１１５の貫通穴を介して中和剤液化管１２０に流通する。中和剤液化管１２０は、ＳＣＴコイル巻き管であって、直径が１０ｍｍであり、長さが２０ｃｍであるが好ましい。中和剤容器１１０および中和剤液化管１２０中に、１５０ｇ程度のビタミンＣの顆粒を収納することができるように構成するのがよい。
【００２７】
中和剤液化管１２０は中和剤液化管内部１２１を有する。中和剤液化管１２０は、好ましくは、ステンレス鋼管１０Ｓｕで形成される。ステンレス鋼管１０Ｓｕの長さは、２０ｃｍであるのが好ましい。中和剤液化管１２０の上端部および下端部はフレア加工されるのがよい。中和剤液化管１２０の上端部は、接合継手１１５の下側雄ねじ部に対して、固定ナット１２２により、ねじ締めにより連結される。中和剤液化管１２０の上端部と接合継手１１５の連結部にはＯリングパッキン１１９を配置するのが好ましい。固定ナット１２２として、例えば、ＳＰＪナット（１０ｍｍ）を用いることができる。固定ナット１２２は、ＳＵＳ３０４などのステンレス鋼で形成するのが好ましい。
【００２８】
図１及び図２を参照すると、除去器ユニット１３０は、取り付け継手１３１と、点滴ノズル１４０と、吹き出しノズル１５０とを含むように構成される。取り付け継手１３１と、点滴ノズル１４０と、吹き出しノズル１５０は、共通の中心軸線１００Ａを有するように構成される。取り付け継手１３１として、例えば、締め付け接合型継手ＳＰＪ２を用いることができる。このような締め付け接合型継手の構造の一例が、特許文献５に開示されている。中和剤液化管１２０と点滴ノズル１４０を連結するには、貫通ボアを有する取り付け継手１３１を用いるのがよい。取り付け継手１３１は、ＳＣＳ１３などのステンレス鋳鋼で形成されるのが好ましい。
【００２９】
取り付け継手１３１は、一方の端部に形成された環状の段部１３２と、段部１３２の次に位置した第１雄ねじ部１３３と、第１雄ねじ部１３３の次に位置した外周中間部１３４と、外周中間部１３４の次に位置した第２雄ねじ部１３５と、第２雄ねじ部１３５の次に位置するように他方の端部に形成された第３雄ねじ部１３６と、中心軸線１３１Ａを中心として形成された貫通ボア１３７とを含むように構成される。貫通ボア１３７の上端部は、中和剤液化管１２０の中和剤液化管内部１２１に流通するように構成される。
【００３０】
第１雄ねじ部１３３は、例えば、管用平行雄ねじであり、Ｍ１２ｍｍに構成することができる。第１雄ねじ部１３３の長さ（不完全ねじ部を含む）は、例えば、１１ｍｍに構成することができる。第２雄ねじ部１３５は、例えば、管用テーパ雄ねじであり、Ｍ１２ｍｍに構成することができる。第２雄ねじ部１３５の長さ（不完全ねじ部を含む）は、例えば、２２．５ｍｍに構成することができる。第３雄ねじ部１３６は、例えば、Ｍ１０ｍｍに構成することができる。第３雄ねじ部１３６の長さ（不完全ねじ部を含む）は、例えば、５ｍｍに構成することができる。外周中間部１３４の外周形状は、例えば、六角形に形成される。この六角形の対向する二面間の面幅は、例えば、３０ｍｍに構成することができる。貫通ボア１３７の内径は、例えば、９ｍｍに構成することができる。
【００３１】
中和剤液化管１２０の下端部は、取り付け継手１３１の第１雄ねじ部１３３に対して、固定ナット１２４により、ねじ締めにより連結される。固定ナット１２４として、例えば、ＳＰＪナット（１０ｍｍ）を用いることができる。固定ナット１２４は、ＳＵＳ３０４などのステンレス鋼で形成するのが好ましい。取り付け継手１３１の第１雄ねじ部１３３にシールテープ（図示せず）を４回から５回重ね巻きして、吹き出しノズル１５０の流出細孔１５９（後述する）の面が配管継手１８０を構成する継手チーズ側から見て真正面に見えるまで、外周中間部１３４をスパナ等を用いて締めるのが好ましい。さらに、取り付け継手１３１の第１雄ねじ部１３３に固定ナット１２４の雌ねじ部をねじ込んで連結するのが好ましい。
【００３２】
取り付け継手１３１の下側の第２雄ねじ部１３５は、配管継手１８０の中間開口部の雌ねじ部に対して、ねじ締めにより連結される。取り付け継手１３１の第２雄ねじ部１３５にシールテープ（図示せず）を４回から５回重ね巻きして、その第２雄ねじ部１３５を配管継手１８０の中間開口部の雌ねじ部にねじ込んで連結するのが好ましい。配管継手１８０の横方向の一方の端部には、上流側水道配管１８１が接続される。配管継手１８０の横方向の他方の端部には、下流側水道配管１８２が接続される。上流側水道配管１８１の雄ねじ部にシールテープ（図示せず）を２回から３回重ね巻きするのが好ましい。同様に、下流側水道配管１８２の雄ねじ部にシールテープ（図示せず）を２回から３回重ね巻きするのが好ましい。配管継手１８０の横方向の他方の端部には、下流側水道配管１８２が接続される。配管継手１８０の横方向の一方の端部には、上流側水道配管１８１が接続される。配管継手１８０の横方向の他方の端部には、下流側水道配管１８２が接続される。ここで、「上流側」とは、「メータ計（量水器）側」を意味し、「下流側」とは、「給水栓ヘッダー側」を意味する。配管継手１８０の中心軸線１８０Ａと、上流側水道配管１８１の中心軸線１８１Ａは、一つの直線上に配置されるのが好ましい。配管継手１８０の中心軸線１８０Ａと、下流側水道配管１８２の中心軸線１８２Ａは、一つの直線１８０Ａ上に配置されるのが好ましい。
【００３３】
配管継手１８０として、例えば、継手チーズ１／２×（１５×１５）を用いることができる。中和剤容器１１０と中和剤液化管１２０の内部に、塩素中和剤１１６が収納される。塩素中和剤１１６はビタミンＣを含むのが好ましい。塩素中和剤１１６として、ビタミンＣの顆粒を用いるのが特に好ましい。塩素中和剤１１６として、例えば、１５０ｇ程度のビタミンＣが中和剤容器１１０と中和剤液化管１２０の内部に収容されるのが好ましい。残留塩素除去器１００が収納可能な塩素中和剤１１６の重量は、例えば、１５０ｇに構成するのが好ましい。必要に応じて、中和剤容器１１０、中和剤液化管１２０の形状や寸法を変えることによって、残留塩素除去器１００が収納可能な塩素中和剤１１６の容量（重量）を調整することができる。
【００３４】
図１及び図３を参照すると、点滴ノズル１４０は、一方の端部に形成された角部１４２と、角部１４２の次に位置した雄ねじ部１４３と、雄ねじ部１４３の次に太径部が位置するように中心軸線１４０Ａを中心として形成された外周テーパ部１４４と、角部１４２の中に位置するように形成された雌ねじ部１４６と、雄ねじ部１４３の次に太径部が位置するように中心軸線１４０Ａを中心として形成されたテーパボア１４７と、テーパボア１４７の細径部の次に位置するように中心軸線１４０Ａを中心として形成された点滴ノズル細孔１４８とを含むように構成される。
【００３５】
中和剤液化管１２０の中和剤液化管内部１２１、取り付け継手１３１の貫通ボア１３７の内部、点滴ノズル１４０のテーパボア１４７の内部、および、点滴ノズル１４０の点滴ノズル細孔１４８の内部は、毛管現象発生部を構成する。すなわち、点滴ノズル細孔１４８は、ノズルの出口側から毛細管現象によって水道水を中和剤液化管内部１２１、中和剤収納部１１０に流通させることができるような寸法形状に形成されている。角部１４２の外周形状は、例えば、六角形に形成される。この六角形の対向する二面の間の面幅は、例えば、１６ｍｍに構成することができる。テーパボア１４７の上端の太径部は、取り付け継手１３１の貫通ボア１３７に流通するように構成される。
【００３６】
雄ねじ部１４３は、例えば、Ｍ１２ｍｍに構成することができる。雄ねじ部１４３の長さ（不完全ねじ部を含む）は、例えば、５ｍｍに構成することができる。外周テーパ部１４４の長さは、例えば、５ｍｍに構成することができる。外周テーパ部１４４の太径部の直径は、例えば、５ｍｍに構成することができる。外周テーパ部１４４の細径部の直径は、例えば、３ｍｍに構成することができる。雌ねじ部１４６は、例えば、Ｍ１２ｍｍに構成することができる。雄ねじ部１４３の深さ（不完全ねじ部を含む）は、例えば、５ｍｍに構成することができる。テーパボア１４７の長さは、例えば、１８．５ｍｍに構成することができる。テーパボア１４７の太径部の直径は、例えば、９ｍｍに構成することができる。テーパボア１４７の細径部の直径は、例えば、２ｍｍに構成することができる。点滴ノズル細孔１４８の直径は、例えば、０．３ｍｍに構成するのが好ましい。点滴ノズル細孔１４８の直径を０．３ｍｍ程度の寸法に形成すると、孔の加工が容易であり、かつ、効果的に毛細管現象により水道水を中和剤液化管内部１２１に流通させることができる。点滴ノズル細孔１４８の直径が０．３ｍｍよりも小さいと、孔の加工が困難になるおそれが増大する。点滴ノズル細孔１４８の直径が０．３ｍｍよりも大きいときには、毛細管現象により水道水を中和剤液化管内部１２１に流通させる力が低下するおそれが増大する。
【００３７】
図１及び図４を参照すると、吹き出しノズル１５０は、筒状の側壁部１５２と、筒状側壁部１５２の一方の端部に形成された開口部１５３と、側壁部１５２の他方の端部に形成され閉鎖した底部１５４と、開口部１５３に位置した雌ねじ部１５５と、筒状側壁部１５２を貫通するように中心軸線１５０Ａに対して直角方向に形成された流入細孔１５８と、筒状側壁部１５２を貫通するように中心軸線１５０Ａに対して直角方向に形成され、かつ、流入細孔１５８と向かい合う位置に配置された流出細孔１５９とを含むように構成される。雌ねじ部１５５は、例えば、Ｍ１０ｍｍに構成することができる。雌ねじ部１５５の深さ（不完全ねじ部を含む）は、例えば、５ｍｍに構成することができる。
【００３８】
底部１５４の厚さは、例えば、２ｍｍに構成することができる。流入細孔１５８の直径は、例えば、０．４ｍｍに構成することができる。流出細孔１５９の直径は、例えば、０．５ｍｍに構成することができる。流入細孔１５８の直径は、流出細孔１５９の直径よりも小さくなるように構成される。この構成により、液化された中和剤（ビタミンＣ）を流出細孔１５９から流出させることができる。流入細孔１５８および流出細孔１５９を設ける位置は、底部１５４の外面から６ｍｍの位置に細孔の中心軸線１００Ａが配置されるのが好ましい。流入細孔１５８の中心軸線と、流出細孔１５９の中心軸線は、一つの直線１００Ａ上に配置されるのが好ましい。吹き出しノズル１５０の内部において、点滴ノズル１４０の外周テーパ部１４４のまわり及び下方に、水道水と液化されたビタミンＣを貯留する貯留部１７０が形成される。点滴ノズル細孔１４８の下端部は、貯留部１７０に流通するように構成される。
【００３９】
図１を参照すると、流入細孔１５８の中心軸線と、配管継手１８０の中心軸線１８０Ａは、一つの直線１８０Ａ上に配置されるのが好ましい。流出細孔１５９の中心軸線と、配管継手１８０の中心軸線１８０Ａは、一つの直線１８０Ａ上に配置されるのが好ましい。
【００４０】
（２）残留塩素除去方法：
次に、本発明の方法を説明する。図１を参照すると、最初に、中和剤１１６を収納するための中和剤容器（中和剤収納部）１１０と、中和剤容器１１０に流通するように構成された点滴ノズル細孔１４８と、点滴ノズル細孔１４８に流通しており、かつ、水道水を流入させるための流入細孔１５８と、点滴ノズル細孔１４８に流通しており、かつ、流入細孔１５８から流入した水道水を流出させるための流出細孔１５９とを備えていて、流入細孔１５８の直径が流出細孔１５９の直径よりも小さくなるように構成された残留塩素除去器１００を準備する。次に、前記残留塩素除去器１００を水道配管１８１、１８２に取り付ける。この方法では、前記流入細孔１５８の中心軸線、及び、前記流出細孔１５９の中心軸線は、前記水道配管１８１の中心軸線１８１Ａ、前記水道配管１８２の中心軸線１８２Ａ上に配置されるのがよい。この方法では、中和剤１１６は顆粒のビタミンＣである。そして、水道水が停止中に毛細管現象により点滴ノズル細孔１４８を通って流入する水道水によって、前記顆粒のビタミンＣが連続して希釈化されるようになっている。
【００４１】
また、本発明の方法では、顆粒のビタミンＣを収納した中和剤容器１１０を含む残留塩素除去器１００を準備する。次に、中和剤容器１１０を点滴ノズル細孔１４８を介して水道配管１８１、１８２に接続する。次に、残留塩素除去器１００の中に水道水を流入させて顆粒のビタミンＣを連続して希釈化させる。次に、前記希釈化させたビタミンＣを水道配管１８１、１８２に流出させる。この方法では、前記希釈化させる段階は、残留塩素除去器１００に設けた流入細孔１５８から水道水を流入させて行われ、前記希釈化させたビタミンＣを水道配管に流出させる段階は、残留塩素除去器１００に設けた流出細孔１５９から水道水を流出させて行われ、流入細孔１５８の直径が流出細孔１５９の直径よりも小さいのが好ましい。さらに、この方法では、流入細孔１５８の中心軸線と、流出細孔１５９の中心軸線は、一つの直線上に配置され、かつ、前記水道配管の中心軸線と一致するように配置されるのが好ましい。
【００４２】
（３）残留塩素除去器の作用：
毛細管現象（ウィキペィア：Wikipedia）とは、細い管状物体の内側にある液体が管の中を上昇する現象である。毛細管現象において、液体が管の中を上昇する高さは、液体の表面張力、管の内壁面のぬれやすさ、液体の密度によって決まる。厳密性を無視すると、液面の上昇高さｈ（単位：ｍ）は、以下に示す数式１によって求めることができる。
【数１】
2007301446.tif 000004
ここで、Ｔ＝表面張力（Ｎ／ｍ）；
θ＝接触角（°）；
ρ＝液体の密度（ｋｇ／ｍ3 ）；
ｇ＝重力加速度（ｍ／ｓ2 ）；
ｒ＝管の内径：半径（ｍ）である。
【００４３】
海水面高度でガラス管と水の組み合わせの場合、液面の上昇高さｈ（単位：ｍ）は、以下に示す数式２によって求めることができる。
【数２】
2007301446.tif 000005
ここで、Ｔ＝０．０７２８（Ｎ／ｍ）（２０°Ｃ）；
θ＝２０（°）；
ρ＝１０００（ｋｇ／ｍ3 ）；
ｇ＝９．８０６６５（ｍ／ｓ2 ）；
ｒ＝管の内径：半径（ｍ）である。
【００４４】
上記の数式２を用いると、直径が０．１ｍｍ（半径ｒ＝０．０５ｍｍ）であるガラス管の場合、液面の上昇高さｈは約２８ｃｍとなることがわかる。例えば、ガラス管の直径が０．３ｍｍであるとき、液面の上昇高さｈは約９ｃｍとなる。したがって、管の内径が０．３ｍｍである部分が９ｃｍ以上あれば、管内での停止水道水の液面の上昇高さｈは約９ｃｍとなると考えられる。したがって、この上昇高さの範囲において、ビタミンＣ（顆粒）を液化することができる。本発明の残留塩素除去器１００において、点滴ノズル細孔１４８から毛管管現象により水道水が流入し、顆粒のビタミンＣが希釈化されて液化ビタミンＣになる。
【００４５】
図１および図２を参照すると、上流側水道配管１８１から流れる水道水の水圧が流入細孔１５８の入口面に直角に当たるようになっている。全国水道局の水道水圧は、一般に、平均３．５ｋｇｆである。水道元栓を開栓にした場合、上流側水道配管１８１から流れる水道水の一部が流入細孔１５８から吹き出しノズル１５０の中に流入する。水道水の一部が流入細孔１５８から吹き出しノズル１５０の中に流入すると、既に吹き出しノズル１５０の中で希釈化されていた液化ビタミンＣは、流出細孔１５９を通って下流側に流出する。水道水の中の残留塩素は、貯留部１７０から流出細孔１５９を通って下流側水道配管１８２に向って流出した液化ビタミンＣと反応して、酸化ビタミンＣと塩化ナトリウムになる。
【００４６】
住宅の水道を本発明の残留塩素除去器１００で塩素除去する方法では、住宅水道配管の給水、給湯の全給水給湯栓が止水している間に、残留塩素除去器１００において、中和剤容器１１０と、中和剤液化管１２０と、除去器ユニット１３０の点滴ノズル１４０の先端に設けられた点滴ノズル細孔１４８（孔径：０．３ｍｍ、長さ：２．５ｍｍ）の毛管管現象によって、表面張力、壁面のぬれやすさ、水道水の密度に依存して、水道水の上昇の高さは決まる。
【００４７】
厳密性を無視して、本発明の方法における毛管管現象の原理を説明すると、壁面のぬれやすさとの兼ね合いで管内の液面は水平でなく、傾きをもつことがある。表面張力に代って、液面には縮まろうとする方向の力が加えられている。壁面付近における傾きをもった液面が縮まろうとすることによって、結果的に水面を持ち上げることになる。すなわち、液体（水道水）が上昇する力は、壁面付近における表面張力の垂直成分に等しい。上記の液体（水道水）が上昇する力と、持ち上げた液体（水道水）の重さが釣り合うまで液面は上昇する。液体（水道水）の重さは（液体の密度×液体の体積）、すなわち、（管断面積×管高さ）で求めることができる。しかしながら、細い管の場合、この管断面積が微小なものとなる。このため、液面の上昇する高さは非常に大きいものとなる。液面の上昇する高さは、前記の数式１を用いて計算することができる。例えば、内径が０．１ｍｍのガラス管の場合、液面の上昇する高さは２８ｃｍとなる。点滴ノズル細孔１４８の孔径が０．３ｍｍの場合、液面の上昇する高さは２８ｃｍ÷３＝９ｃｍと推定することができる。
【００４８】
塩素中和剤１１６としてビタミンＣ（顆粒）を中和剤容器１１０の上部から１５０ｇ投入すると、ビタミンＣ（顆粒）は中和剤液化管１２０の中を通り、除去器ユニット１３０の内面を通り、点滴ノズル１４０の内面のテーパボア１４７から点滴ノズル細孔１４８に達する。この状態において、停止水道水が毛細管作用により点滴ノズル細孔１４８の中を上昇してビタミンＣ（顆粒）と接触し、ビタミンＣ（顆粒）の液化が始まる。ビタミンＣ（顆粒）が液化すると、液化した中和剤の比重が重くなり、液化した中和剤は吹き出しノズル１５０の底部１５４に蓄積される。
【００４９】
住宅水道配管の給水か給湯の給水栓を開栓して水道水を使用すると、水道本管の常用水圧（全国水道局の平均水道水圧）である３．５ｋｇｆの水圧が、残留塩素除去器１００の吹き出しノズル１５０の流入細孔１５８の中に加えられる。この状態では、ビタミンＣ（顆粒）の液化現象（水溶化現象）が止まり、点滴ノズル１４０の内部および中和剤液化管内部１２１に蓄積されている液化した中和剤が点滴ノズル１４０の点滴ノズル細孔１４８から外部に吹き出す。このようにして吹き出した液化した中和剤は、貯留部１７０に水圧誘導され、流出細孔１５９から外部に吹き出す。このようにして吹き出した液化中和剤は、水道水の中の残留塩素を瞬時に化学的に反応分解する。この反応分解の作用については、化学構造式に関して既に説明している。
【００５０】
本発明の方法により、例えば、夜間等で水道水を全く使用しないとき、水道元栓の量水器（メーター計）と、給水ヘッダーとの間に接続される。住居内の浴室、シャワー、キッチン、洗面所、温水器の給水栓５箇所と給湯栓３箇所を全て閉じた場合、本発明の残留塩素除去器１００において、ビタミンＣの液化（水溶化）が進行する。一方、給水栓か給湯栓を開いて水道水を使用すると、中和剤容器１１０と、中和剤液化管１２０と、点滴ノズル細孔１４８における毛細管現象は止まり、常用水圧３．５ｋｇｆの水圧力によりビタミンＣの液化中和剤を水道水の中に誘導して残留塩素と化学反応させ、水道水から塩素を除去することができる。
【００５１】
したがって、本発明の残留塩素除去器１００を水道元栓に直結することにより、住宅の全給水・給湯管の水道蛇口の段階で、出水の１リットル当たり０．１ｍｇから０．９ｍｇの残留塩素が存在するとき、水道水の中の残留塩素を、ほぼ完全に除去することができる。
【産業上の利用可能性】
【００５２】
本発明により、塩素中和剤を連続して希釈化して、水道水の中の残留塩素を中和して除去することができる残留塩素除去器を製造することができる。本発明の残留塩素除去器を水道元栓に直結することにより、水道水の中の残留塩素を、ほぼ完全に除去することができる。さらに、本発明の方法を用いると、液化ビタミンＣにより水道水中の残留塩素を中和して除去することができる。
【図面の簡単な説明】
【００５３】
【図１】本発明の実施形態において、水道配管に接続した状態の残留塩素除去器を示す部分断面図である。
【図２】本発明の実施形態において、除去器ユニットを示す拡大部分断面図である。
【図３】本発明の実施形態において、点滴ノズルを示す拡大図であり、図３（ａ）は断面図であり、図３（ｂ）は上面図である。
【図４】本発明の実施形態において、吹き出しノズルを示す拡大図であり、図４（ａ）は断面図であり、図４（ｂ）は上面図である。
【符号の説明】
【００５４】
１００  残留塩素除去器
１１０  中和剤容器
１１４  固定ナット
１１５  接合継手
１１６  塩素中和剤
１１７  Ｏリングパッキン
１１９  Ｏリングパッキン
１２０  中和剤液化管
１２１  中和剤液化管内部
１２２  固定ナット
１２４  固定ナット
１３０  除去器ユニット
１３１  取り付け継手
１４０  点滴ノズル
１４２  角部
１４３  雄ねじ部
１４４  外周テーパ部
１４６  雌ねじ部
１４７  テーパボア
１４８  点滴ノズル細孔
１５０  吹き出しノズル
１５２  側壁部
１５３  開口部
１５４  底部
１５５  雌ねじ部
１５８  流入細孔
１５９  流出細孔
１７０  貯留部
１８０  配管継手
１８１  上流側水道配管
１８２  下流側水道配管
【図１】
2007301446.tif 000006
【図２】
2007301446.tif 000007
【図３】
2007301446.tif 000008
【図４】
2007301446.tif 000009
【手続補正書】
【提出日】平成18年5月18日(2006.5.18)
【手続補正１】
【補正対象書類名】明細書
【補正対象項目名】００２７
【補正方法】変更
【補正の内容】
【００２７】
中和剤液化管１２０は中和剤液化管内部１２１を有する。中和剤液化管１２０は、好ましくは、ステンレス鋼管１０Ｓｕで形成される。ステンレス鋼管１０Ｓｕの長さは、２０ｃｍであるのが好ましい。中和剤液化管１２０の上端部および下端部はフレア加工されるのがよい。中和剤液化管１２０の上端部は、接合継手１１５の下側雄ねじ部に対して、固定ナット１２２により、ねじ締めにより連結される。中和剤液化管１２０の上端部と接合継手１１５の連結部にはＯリングパッキン１１９を配置するのが好ましい。固定ナット１２２として、例えば、ＳＰＪナット（１０ｍｍ）を用いることができる。固定ナット１２２は、ＳＵＳ３０４などのステンレス鋼で形成するのが好ましい。Ｏリングパッキンは、例えば、シリコンゴム等で形成することができる（日本機械学会編、「機械工学便覧、応用編、Ｂ５，流体機械」参照）。
【手続補正書】
【提出日】平成18年6月7日(2006.6.7)
【手続補正１】
【補正対象書類名】明細書
【補正対象項目名】０００７
【補正方法】変更
【補正の内容】
【０００７】
さらに、従来の第４タイプの薬剤供給方法として、ビタミンＣを収容する収容カートリッジを備え、このカートリッジから水道水にビタミンＣを抽出するようにした浄水器又はシャワーヘッドが知られている（例えば、特許文献４参照）。なお、ビタミンＣの主成分であるＬ−アスコルビン酸は、化学合成と、微生物利用の組み合わせで工業的に生産することができる。合成されたビタミンＣは天然のビタミンＣと同じものである（例えば、非特許文献２参照）。
【手続補正２】
【補正対象書類名】明細書
【補正対象項目名】００１３
【補正方法】変更
【補正の内容】
【００１３】
本発明においては、水道水の残留塩素を除去する塩素除去反応中和剤として、特に、「ビタミンＣ」（Ｌ−アスコルビン酸）を使用している。ビタミンＣは、人間の体内で合成することができないものであり、五大栄養素のサプリメント４０の中のビタミン類１０種に含まれるものである。１９８８年２月１日から厚生労働省では、１日のビタミンＣの摂取勧告値を５０ｍｇから２０００ｍｇに、すなわち４０倍に増加させた。さらに、２０００年７月に、１日のビタミンＣの摂取勧告値が改定されて、１日につき１００ｍｇの所要量になった。このようにして、厚生労働省では、ビタミンＣを大量に摂取することによって毎日の食事の欠陥を補い、毎日の食生活をより完全なものにしようと提唱している。
【手続補正３】
【補正対象書類名】明細書
【補正対象項目名】００１５
【補正方法】変更
【補正の内容】
【００１５】
以下に、塩素をシャットダウンする「ビタミンＣ」（Ｌ−アスコルビン酸）の化学構造式を示す。
【化１】
2007301446.tif 000010
【手続補正４】
【補正対象書類名】明細書
【補正対象項目名】００１６
【補正方法】変更
【補正の内容】
【００１６】
本発明の残留塩素除去器においては、反応中和剤としてビタミンＣを用いて、水道水の中の残留塩素を化学的に分解することができる。このときに生じる化学反応の化学反応式を下記に示す。
Ｃ6Ｈ8Ｏ6 ＋ＮａＣｌＯ  →  Ｃ6Ｈ6Ｏ6 ＋ＮａＣｌ＋Ｈ2Ｏ
すなわち、上記化学反応式は、以下の化学反応が生じることを示している。
(ビタミンＣ)＋(次亜塩素酸ナトリウム)→(酸化ビタミンＣ)＋(塩化ナトリウム)＋(水)
前述したように、Ｌ−アスコルビン酸は工業的に生産することができ、合成されたビタミンＣは天然のビタミンＣと同じものである。
【手続補正５】
【補正対象書類名】明細書
【補正対象項目名】００２７
【補正方法】変更
【補正の内容】
【００２７】
中和剤液化管１２０は中和剤液化管内部１２１を有する。中和剤液化管１２０は、好ましくは、ステンレス鋼管１０Ｓｕで形成される。ステンレス鋼管１０Ｓｕの長さは、２０ｃｍであるのが好ましい。中和剤液化管１２０の上端部および下端部はフレア加工されるのがよい。中和剤液化管１２０の上端部は、接合継手１１５の下側雄ねじ部に対して、固定ナット１２２により、ねじ締めにより連結される。中和剤液化管１２０の上端部と接合継手１１５の連結部にはＯリングパッキン１１９を配置するのが好ましい。固定ナット１２２として、例えば、ＳＰＪナット（１０ｍｍ）を用いることができる。固定ナット１２２は、ＳＵＳ３０４などのステンレス鋼で形成するのが好ましい。Ｏリングパッキンは、例えば、シリコーンゴム等で形成することができる（日本機械学会編、「機械工学便覧、応用編、Ｂ５，流体機械」参照）。
【手続補正６】
【補正対象書類名】明細書
【補正対象項目名】００５０
【補正方法】変更
【補正の内容】
【００５０】
本発明の方法により、例えば、夜間等で水道水を全く使用しないとき、水道元栓の量水器（メーター計）と、給水ヘッダーとの間に接続される、住居内の浴室、シャワー、キッチン、洗面所、温水器の給水栓５箇所および給湯栓３箇所を全て閉じた場合、本発明の残留塩素除去器１００において、ビタミンＣの液化（水溶化）が進行する。一方、給水栓か給湯栓を開いて水道水を使用すると、中和剤容器１１０と、中和剤液化管１２０と、点滴ノズル細孔１４８における毛細管現象は止まり、常用水圧３．５ｋｇｆの水圧力によりビタミンＣの液化中和剤を水道水の中に誘導して残留塩素と化学反応させ、水道水から塩素を除去することができる。